(57)【要約】      （修正有）【課題】所望の弁当装飾が容易なしゃもじの提供。【解決手段】湾曲した面からなるご飯のすくい取り部１１と、握り部１２とからなるしゃもじ本体１と、そのすくい取り部１１の裏面中央から前方寄りに下方に突設してなる押え型突出部２とからなることを特徴とする変形しゃもじで、上記押え型突出部２を着脱可能とすることにより、半球形状、釣り鐘形状、断面ハート形状、あるいは断面星形状等の複数の形状のひとつを選択することができる。【選択図】図１
0003107330.tif 000002
【実用新案登録請求の範囲】
【請求項１】
湾曲した面からなるご飯のすくい取り部１１と握り部１２とからなるしゃもじ本体１と、そのすくい取り部１１の裏面中央から前方寄りに下方に突設してなる押え型突出部２とからなることを特徴とする変形しゃもじ。
【請求項２】
湾曲した面からなるご飯のすくい取り部１１と握り部１２とからなるしゃもじ本体１と、そのすくい取り部１１の裏面中央から前方寄りに下方に突設してなる押え型突出部２とからなり、上記押え型突出部２が、半球形状、釣り鐘形状、断面ハート形状、あるいは断面星形状等の複数の形状の押え型突出部のひとつであって、上記しゃもじ本体１のすくい取り部１１の裏面に選択して着脱可能に取り付けられ、取り替え可能である前記第１項記載の変形しゃもじ。
【請求項３】
上記しゃもじのすくい取り部１１の裏面の取り付け部に係合部１３を、他方、上記押え型突出部２の取り付け部に対応係合部２２を備え、嵌合または螺着により着脱可能である前記第２項記載の変形しゃもじ。
【請求項４】
湾曲した面からなるご飯のすくい取り部１１と握り部１２とからなるしゃもじ本体１と、そのすくい取り部１１の裏面中央から前方寄りに下方に突設してなる押え型突出部２とからなり、上記押え型突出部２が、半球形状、釣り鐘形状、断面ハート形状、あるいは断面星形状等の複数の形状の押え型突出部の組み合わせであって、上記しゃもじ本体１のすくい取り部１１の裏面に選択して着脱可能に取り付けられ、取り替え可能で、上記しゃもじ本体１のすくい取り部が強磁性体金属１１ａから成形され、その表面にテフロン（登録商標）加工等の樹脂被覆加工１１ｂが施され、上記押え型突出部２が磁石２１を備え、しゃもじ本体１に磁力接合されることを特徴とする変形しゃもじ。
【考案の詳細な説明】
【技術分野】
【０００１】
本考案は変形しゃもじに関し、特に所望の、半球形、断面ハ−ト形，星形の押し型が選択的に弁当のご飯面に形成できる変形しゃもじに関する。
【背景技術】
【０００２】
近年、幼児のいる家庭では毎日の弁当づくりに種々の工夫が行なわれ、おかずの飾り配列上、円形、球形、ハ−ト形，星形など種々の凹部を形成する押し型が必要とされる。しかしながら、ゼリ−造りのように専用の保形用具を用いるほどのものでもなく、そうかといって道具がないと、上記種々の凹部を弁当のご飯面に形成することは極めて難しい。
【０００３】
従来、しゃもじの改良としてはすくい取り部に凹凸を形成したり、穴を開けたり、テフロン（登録商標）加工をしたりしてご飯の付着を解消するもの（特許文献１）、しゃもじのすくい取り部を成形部とするもの（特許文献２）が提案されているが、弁当のご飯を成形する押し型の付いたものはない。
【特許文献１】特開２００２−１０２０８３号公報
【特許文献２】特開平１０−３３３９０号公報
【考案の開示】
【考案が解決しようとする課題】
【０００４】
本考案は、かかる問題点に鑑み、所望の押し型を弁当のご飯面に容易に形成することが出来る変形しゃもじを提供することを課題とする。
【課題を解決するための手段】
【０００５】
本件考案者は上述の課題を解決すべく鋭意研究したところ、弁当にご飯を詰めるのに通常しゃもじが使用されており，このしゃもじのご飯すくい取り部の裏面の中央から前方寄りに押し型突出部を形成すると，しゃもじの機能を阻害することなく，容易に所望の押し型を造形できることを見いだし，本考案を完成するに至った．
【０００６】
本考案は湾曲した面からなるご飯のすくい取り部１１と握り部１２とからなるしゃもじ本体１と、そのすくい取り部１１の裏面中央から前方寄りに下方に突設してなる押え型突出部２とからなることを特徴とする変形しゃもじにあり、上記押え型突出部２が、半球形状、釣り鐘形状、断面ハート形状、あるいは断面星形状等の複数の形状の押え型突出部のひとつを選択することができるものである。
【０００７】
本考案によれば、しゃもじを用いて所望の押し型を弁当のご飯面に押しつけ、所望の凹部を容易に形成することができる。上記押し型突出部を着脱可能にしゃもじ本体１の裏面に形成すれば、所望により半球形状、釣り鐘形状、断面ハート形状、あるいは断面星形状等の複数の形状の押え型突出部のひとつを選択し、押し型形状を、取り替え可能である。取り替えの形態は、嵌合または螺合形態にすることもできるが、磁力接合とするのが、着脱容易である。
【考案を実施するための最良の形態】
【０００８】
以下、本考案の好ましい実施形態を説明する。
１はしゃもじ本体で、すくい取り部１１には強磁性体金属からなる芯材１１ａの表面に樹脂加工、特にテフロン（登録商標）加工が施される。握り部１２も同じく強磁性体金属から形成されてよく、全体を強磁性材料を芯体として成形し、樹脂モールド層１１ｂにより表面加工して製造すると、電器釜の側面に磁力接合により留め置くことができる。
【０００９】
２は押え型突出部で、梅干し収納には、半球形状、釣り鐘形状であってよいが、断面ハート形状２’あるいは断面星形状２”等の複数の形状の押え型が用意される。各押え型突出部２は内部に磁石２１を備え、上記しゃもじ本体１に磁力接合される。接合部はしゃもじ本体１のすくい取り部１１の裏面中央から前方寄りが押し型成形にとって好ましい。
これにより、図３に示すようにご飯面にハート形又は星形の凹部Ａ又はＢを形成することができる。
【００１０】
上記実施例ではしゃもじ全体を強磁性金属で成形し、この表面をテフロン（登録商標）加工することにより形成したが、しゃもじ本体のすくい取り部１１の裏面の取り付け部のみを金属係合部とし、上記押え型突出部２の取り付け部に対応係合部に磁石を設けるようにしてもよい。着脱位置を正確に決めるために凹凸嵌合形式を採用することもできる。たとえば、図４に示すように、しゃもじ本体１１の裏面に係合凸部１３を形成し、押し型突出部２の接合面に係合孔２２を設けるようにすることもできる。
【産業上の利用可能性】
【００１１】
本考案によれば、しゃもじと複数の押し型セットを用いて、弁当の装飾形状を容易に形成できる変形しゃもじを提供でき、楽しい弁当、楽しい給食を実現することができる。
【図面の簡単な説明】
【００１２】
【図１】本考案に係る変形しゃもじの全体を示す外観図である。
【図２】上記実施形態における中央断面図である。
【図３】本考案に係る変形しゃもじで形成できる弁当ご飯面の凹部形状を示す全体図である。
【図４】本考案に係る変形しゃもじの第２実施例を示す側面図である。
【符号の説明】
【００１３】
１  しゃもじ本体、２  押し型突出部、１１  すくい取り部、  １１ａ  強磁性芯材、１１ｂ  表面樹脂可能層、２１  磁石部
【図１】
0003107330.tif 000003
【図２】
0003107330.tif 000004
【図３】
0003107330.tif 000005
【図４】
0003107330.tif 000006
【手続補正書】
【提出日】平成16年9月2日(2004.9.2)
【手続補正１】
【補正対象書類名】実用新案登録請求の範囲
【補正対象項目名】全文
【補正方法】変更
【補正の内容】
【実用新案登録請求の範囲】
【請求項１】
湾曲した面からなるご飯のすくい取り部１１と握り部１２とからなるしゃもじ本体１と、そのすくい取り部１１の裏面中央から前方寄りに下方に突設してなる押え型突出部２とからなることを特徴とする変形しゃもじ。
【請求項２】
湾曲した面からなるご飯のすくい取り部１１と握り部１２とからなるしゃもじ本体１と、そのすくい取り部１１の裏面中央から前方寄りに下方に突設してなる押え型突出部２とからなり、上記押え型突出部２が、半球形状、釣り鐘形状、断面ハート形状、あるいは断面星形状等の複数の形状の押え型突出部のひとつであって、上記しゃもじ本体１のすくい取り部１１の裏面に選択して着脱可能に取り付けられ、取り替え可能である前記第１項記載の変形しゃもじ。
【請求項３】
上記しゃもじのすくい取り部１１の裏面の取り付け部に係合部１３を、他方、上記押え型突出部２の取り付け部に対応係合部２２を備え、嵌合または螺着により着脱可能である前記第２項記載の変形しゃもじ。
【請求項４】
湾曲した面からなるご飯のすくい取り部１１と握り部１２とからなるしゃもじ本体１と、そのすくい取り部１１の裏面中央から前方寄りに下方に突設してなる押え型突出部２とからなり、上記押え型突出部２が、半球形状、釣り鐘形状、断面ハート形状、あるいは断面星形状等の複数の形状の押え型突出部の組み合わせであって、上記しゃもじ本体１のすくい取り部１１の裏面に選択して着脱可能に取り付けられ、取り替え可能で、上記しゃもじ本体１のすくい取り部が強磁性体金属１１ａから成形され、その表面にフッ素樹脂加工等の樹脂被覆加工１１ｂが施され、上記押え型突出部２が磁石２１を備え、しゃもじ本体１に磁力接合されることを特徴とする変形しゃもじ。